(57)【要約】【課題】ゴルフ経験者においてはパットの際の距離感や方向性を習得できるとともに、ゴルフ未経験の子供においても、パットの練習を楽しみながら行うことができるゴルフのパター練習器を提供する。【解決手段】下部平坦部２と、傾斜部３と、上部平坦部４が連続的に形成され、上部平坦部４にホール部１１を備えたゴルフのパター練習器１である。ホール部１１の後方に、ゴルフボールを収容するスペース部１２と、ホール部１１からスペース部１２にゴルフボールを通過させるボール通過部１３とが形成されている。【選択図】図１
2015009118.tif 000002
【特許請求の範囲】
【請求項１】
下部平坦部と、傾斜部と、上部平坦部が連続的に形成され、該上部平坦部にホール部を備えたゴルフのパター練習器であって、前記ホール部の後方に、ゴルフボールを収容するスペース部と、前記ホール部から前記スペース部にゴルフボールを通過させるボール通過部とが形成されていることを特徴とするゴルフのパター練習器。
【請求項２】
前記ホール部の両側に、ボールを収容できる凹部が少なくとも１組形成されている請求項１記載のゴルフのパター練習器。
【請求項３】
前記スペース部の後方に、更に他のボール通過部を介してもう一つのスペース部が形成されている請求項１または２記載のゴルフのパター練習器。
【請求項４】
前記ボール通過部の底面に傾斜部を形成した請求項１乃至３のうちいずれか１項に記載のゴルフのパター練習器。
【請求項５】
前記ボール通過部の上面に被覆部を形成した請求項１乃至４のうちいずれか１項に記載のゴルフのパター練習器。
【請求項６】
ホール部、ボール通過部、スペース部、凹部の少なくとも一箇所に、ボールの最終停止位置を音声または視覚により知らせるスイッチ機構を設けた請求項１乃至５のうちいずれか１項に記載のゴルフのパター練習器。
【発明の詳細な説明】
【技術分野】
【０００１】
本発明は、ゴルフのパター練習器に関し、詳しくはゴルフ経験者はもとより、ゴルフ未経験者や子供においても、パットの練習を効果的に、且つ、楽しみながら行うことができるゴルフのパター練習器に関する。
【背景技術】
【０００２】
ゴルフ競技において、パットの巧拙がスコアに大きく影響を与えることは常識である。パットを上達させるには、ボールの打ち出しの強弱による距離感と、打ち出し角度を習得する必要がある。このようなパター練習器として最も一般的なものとしては図１３及び図１４に示すものがある。図に示すパター練習器３１は、芝を模した敷物で作られており、平たん部３２と傾斜部３３とを有する疑似グリーン面である。この疑似グリーン面の段上３４に、ホールに模した凹部が設けられている。以下、この凹部をホール部４１と称する。因みに、このホール部４１の内径は本物のゴルフ場のホールの内径と同様に１０８ｍｍである。このパター練習器３１では図１３及び図１４において左側からボールを打ち、傾斜のある疑似グリーン面上を転がして、ホール部４１に入れる練習を繰り返すことによりパットの上達を図る。
【０００３】
その他、このようなゴルフのパットを向上させる練習器の先行技術として、例えば、特許文献１では、パッティングされたゴルフボールが登るための傾斜面と、上記傾斜面を登った上記ゴルフボールが納まる凹部と、を有する平板状の基台を階段状に複数積み重ねて１つのユニットを構成するゴルフパター練習器が報告されている。
【０００４】
また、特許文献２には、傾斜台板を有する人工芝生状のパターマットにおいて、該傾斜台板の前面に平坦部を設け、後方には前記平坦部より一段高い平坦部を傾斜面を介して形成し、各平坦部のホールが前後同一線上にならない位置に穿設したパター練習マットが開示されている。
【０００５】
さらに、特許文献３には、パターでボールを打ち出し、ストロークの強さによってボールの転がる距離感を習得するためのゴルフパター練習機であって、一端を高くするように傾斜した平板状の傾斜板を備え、傾斜板の表面にはマットが敷設されており、この傾斜板及びマットには複数個のホールを備え、且つ、各ホールにはホールを塞ぐキャップを備えると共に、キャップを作動させてホールを開閉する開閉手段を備えているゴルフパター練習機が開示されている。
【先行技術文献】
【特許文献】
【０００６】
【特許文献１】特開２００８−２２０８３８号公報（特許請求の範囲等）
【特許文献２】実開昭６２−１７４５５９号公報（実用新案登録請求の範囲等）
【特許文献３】特開平１１−２４４４４１号公報（特許請求の範囲等）
【発明の概要】
【発明が解決しようとする課題】
【０００７】
しかしながら、これまでのゴルフパター練習器は、練習の楽しさという面では満足のいくものではなかった。例えば、図１３に示す練習器は単調であり、興味をもって継続的に練習するのは容易なことではなかった。また、特許文献１記載のゴルフパター練習器においては、パッティングされたゴルフボールが登るための傾斜面と、傾斜面を登ったゴルフボールが納まる凹部を有する平板状の基台を階段状に複数積み重ねて１つのユニットを構成するため、全体構造が複雑になりコストアップに繋がるという問題があった。また、傾斜面に施された凹部がすり鉢状に形成されているため、ゴルフボールが凹部に入った際の臨場感を実感することはできなかった。
【０００８】
また、特許文献２記載のパター練習マットにおいては、ホールにゴルフボールが入ったとしても、ゴルフボールがホールの中心に入ったか否かを明確に判断することができなかった。
【０００９】
さらに、特許文献３のゴルフパター練習機においては、パットにおける距離を打ち分ける練習には効果が得られるが、ボールの打ち出しの際の微妙な角度調整を習得するには多少難があった。
【００１０】
そこで本発明の目的は、上記課題を解消するために、ゴルフ経験者においてはパットの際の距離感や方向性を習得できるとともに、ゴルフ未経験者や子供においても、パットの練習を楽しみながら行うことができるゴルフのパター練習器を提供することにある。
【課題を解決するための手段】
【００１１】
上記課題を解決するために、本発明のゴルフのパター練習器は、下部平坦部と、傾斜部と、上部平坦部が連続的に形成され、該上部平坦部にホール部を備えたゴルフのパター練習器であって、前記ホール部の後方に、ゴルフボールを収容するスペース部と、前記ホール部から前記スペース部にゴルフボールを通過させるボール通過部とが形成されていることを特徴とするものである。
【００１２】
本発明のゴルフ練習器においては、前記ホール部の両側に、ボールを収容できる凹部が少なくとも１組形成されているものとすることができる。
【００１３】
また、前記スペース部の後方に、更に他のボール通過部を介してもう一つのスペース部が形成されていてよい。
【００１４】
また、前記ボール通過部の底面に傾斜部を形成することができる。
【００１５】
また、前記ボール通過部の上面に被覆部を形成することもできる。
【００１６】
さらに、ホール部、ボール通過部、スペース部、凹部の少なくとも一箇所に、ボールの最終停止位置を音声または視覚により知らせるスイッチ機構を設けることができる。
【発明の効果】
【００１７】
本発明のゴルフのパター練習器によれば、パットしたゴルフボールがホール部の中央からカップインしない限り、ゴルフボールはスペース部まで到達しない。このため、パット打ち出しの際の方向性の精度を高める練習を行うことができる。
【００１８】
また、ホール部のホールの両側に、ボールを収容できる凹部を少なくとも１組形成したり、スペース部の後方に、更に他のボール通過部を介してもう一つのスペース部を形成したり、さらに、ホール部、ボール通過部、スペース部、凹部の少なくとも一箇所に、ボールの最終停止位置を音声または視覚により知らせるスイッチ機構を設けることにより、ゲーム感覚で練習に集中することができ、また、ゴルフ未経験者や子供においても、音声や視覚の面でパットの練習を楽しみながら行うことができる。
【図面の簡単な説明】
【００１９】
【図１】本発明の一実施形態におけるゴルフのパター練習器の全体斜視図である。
【図２】前記パター練習器の平面図である。
【図３】前記パター練習器のＡ−Ａ線断面図である。
【図４】本発明の他の好適実施形態であるパター練習器の平面図である。
【図５】図４におけるＢ−Ｂ線断面図である。
【図６】本発明の更に他の好適実施形態であるパター練習器の平面図である。
【図７】図６におけるＣ−Ｃ線断面図である。
【図８】図６におけるＤ−Ｄ線断面図である。
【図９】ゴルフボールがホール部に納まった状態の平面図である。
【図１０】ゴルフボールがホール部の中央部分に入った状態の平面図である。
【図１１】本発明の更に他の好適実施形態であるパター練習器の平面図である。
【図１２】図１１におけるＥ−Ｅ線断面図である。
【図１３】従来のゴルフのパター練習器の平面図である。
【図１４】図１３におけるＦ−Ｆ線断面図である。
【発明を実施するための形態】
【００２０】
以下、本発明の一実施の形態に係るゴルフのパター練習器の詳細を図面に基づいて説明する。
【００２１】
図１に示すパター練習器１は、長尺のマットに下部平坦部２と、傾斜部３と、上部平坦部４とが連続的に形成され、上部平坦部４の中央部分にボール収容部１０が形成されている。
【００２２】
下部平坦部２、傾斜部３、上部平坦部４が一体的に連接されたマットは、表面に人工芝等が植設されている。また下部平坦部２、傾斜部３、平坦部４の底面には、例えば、柔軟性を有する樹脂マット、織布や不織布等からなる基台５が敷設されている。
【００２３】
ボール収容部１０は、パットしたゴルフボールが納まるホール部１１と、ホール部１１の後方に配置されたスペース部１２と、ホール部１１とスペース部１２との間に配置された、ボールを通過させることができるボール通過部１３とから構成されている。
【００２４】
ホール部１１は、下部平坦部２で打ち出されたゴルフボールを収容する穴であり、実際のゴルフ場に設置してあるホールと同じ大きさである、内径１０８ｍｍの円形に形成されている。なお、ホール部１１の内径は１０８ｍｍに限定されるものではなく、この大きさより小さい径にすることで、より高い技術が必要とされ、また大径に形成することにより、初心者においても高い確率でパットインを楽しみながら練習を行うことができる。
【００２５】
スペース部１２は、ホール部１１内に入ったボールがボール通過部１３を通過した後、そのボールを収容するスペースを有する。なお、スペース部１２は、図中、ホール部１１と同じ形状となっているが、必ずしも同じ形状である必要はなく、ボール通過部１３を通過してきたボールを収容できるスペースがあればよい。
【００２６】
ホール部１１とスペース部１２との間に形成されているボール通過部１３は、パットされてホール部１１内に入ったゴルフボールをスペース部１２へ送り込む経路である。このボール通過部１３の左右方向の幅（図２における上下幅）は、ゴルフボールの直径である４２．６７ｍｍより僅かに広い幅に形成することが好ましい。
【００２７】
ボール通過部１３の幅をゴルフボールの直径より僅かに広い幅に形成することで、図１０に示すように、パットされたゴルフボールａがホール部１１の中央部分に入った場合に限り、ゴルフボールａはボール通過部１３を通過してスペース部１２へ納まることができる。これにより、パットの際、打ち出しの角度のより高い技術を習得することができる。
【００２８】
パットの際、ゴルフボールａがホール部１１には入ったものの、ホール部１１の中央でない場合には、図９に示すようにゴルフボールａはボール通過部１３を通過することができず、ホール部１１内に納まったままの状態となる。
【００２９】
次に、図４及び図５において、本発明のゴルフのパター練習器の他の好適実施形態について説明する。
図示するゴルフのパター練習器は、ホール部１１の両側部に、ゴルフボールを収容できる一組の凹部１４を形成したボール収容部１０ａを備えている。ホール部１１の両側部に凹部１４を形成したことにより、パットしたゴルフボールがホール部１１から外れた場合でも、凹部１４内に納まることができる。このため、パットの正確性に乏しい初心者においてもパットの練習を楽しく行うことができる。
【００３０】
なお、凹部１４は、ゴルフ場に設置してあるホールと同じ大きさの内径１０８ｍｍの円形に形成してもよいが、大きさや形状はこれに限られるものではない。
【００３１】
次に、図６乃至図８において、本発明のゴルフのパター練習器の更に他の好適実施形態について説明する。
図示するゴルフのパター練習器は、ホール部１１の後方に、ボール通過部１３を介してスペース部１２を形成するとともに、該スペース部１２の後方に、さらにボール通過部１６を介してもう一つのスペース部１５を形成した構造のボール収容部１０ｂを備えている。また、このボール収容部１０ｂにおいては、ホール部１１の両側に凹部１４が形成されており、さらに凹部１４の外側にも別の一組の凹部１７が形成されている。
【００３２】
ボール収容部１０ｂを上述の構造とすることで、正確にパットした際には、ホール部１１の中心部分に入ったゴルフボールは、ボール通過部１３、スペース部１２、ボール通過部１６を通り、最終的にスペース部１５まで到達する。これにより、上述のゴルフのパター練習器１よりも、より精度の高いパットの技術を習得することができる。
【００３３】
また、ホール部１１の両側に凹部１４を、さらにその外側に凹部１７を形成したことにより、パットしたゴルフボールがホール部１１から外れた場合でも凹部１４内に納まるか、あるいは凹部１７内に納まることができる。このため、初心者や子供でも、パットの練習を楽しく行うことができる。
【００３４】
さらに、図１１及び図１２に基づいて、本発明のゴルフのパター練習器の他の好適実施形態について説明する。
図示するゴルフのパター練習器のボール収容部１０ｃは、ホール部１１の後方に、ボール通過部１３を介してスペース部１２が形成されるとともに、該スペース部１２の後方に、さらにボール通過部１６を介してもう一つのスペース部１５が形成されている。さらにまた、ホール部１１の両側に凹部１４が形成され、凹部１４の外側にも別の一組の凹部１７が形成されている。このボール収容部１０ｃは、図１２に示すように、ボール通過部１３及びボール通過部１６の底面に、後方に向かうにつれて上昇する傾斜部１３ａおよび傾斜部１６ａが形成されている。これにより、ボール通過部内のボールはどちらかに移動し、通過部の途中で止まることがない。なお、ホール部１１の両側に具備された凹部１４，１７は、図示するように角形でも丸形でもよい。
【００３５】
またボール収容部１０ｃにおいては、ボール通過部１３の上部に被覆部１８を形成してもよい。被覆部１８を形成することでホール部１１が円形状となり、ゴルフ場に設置されているホールに近い外観を形成することでき、より一層臨場感を高めることができる。
【００３６】
また、さらに他の本発明の好適実施形態として、ボール収容部１０のホール部１１、ボール通過部１３，１６、スペース部１２，１５の少なくとも一箇所に、スイッチ機構、好適には非接触型の電気スイッチ（図示せず）を設けてもよい。あるいはまた、凹部１４，１７に同様のスイッチ機構、好適には非接触型の電気スイッチを装着してもよい。例えば、夫々の箇所に非接触型の電気スイッチを装着することで、パットしたゴルフボールが入った箇所を、異なる音声や音楽等の聴覚で、または異なる色彩の発光等の視覚で認識することができるようにすることができる。
【００３７】
上述の非接触型の電気スイッチとしては、ボールがホールや凹みに達したときその場に存在する電気スイッチが入るものである。このスイッチの具体的構造は、例えば、単純にボールの重みで金属片が撓み、他の金属片と接触して電気が流れるもの、あるいは自動ドアのように超音波を使用するもの、さらに光電管を使用してボールがその場を横切ったときにスイッチが入るもの等が考えられる。なお、本発明における非接触型の電気スイッチは、ボール収容部等にボールが入ったことが確認できるものであれば、上述に限らず如何なる構造のものであってもよいことは言うまでもない。
【００３８】
次に、本発明におけるゴルフのパター練習器の使用方法（遊技方法）の一例を図６に基づいて説明する。
先ず、下部平坦部２にゴルフボールをセットし、ボール収容部１０ｂのホール部１１の中心部分を目がけてパットをする。この際、パットしたゴルフボールがホール部１１に入れば、予め設定した点数、例えばパー４とした場合、４点を得ることができる。
【００３９】
またこの際、ゴルフ経験者においては、ボールをセットする位置をホール部１１から遠い箇所に、初心者においてはホール部１１に近い箇所にボールをセットすることにより、パットインの難易度が調節でき、ハンディーキャップの異なるプレーヤー同士でも一緒に楽しむことができる。
【００４０】
ホール部１１に入ったゴルフボールがボール通過部１３を通り、スペース部１２に達したら、４点から１点を減らして計算する（バーディーに相当）。さらに、ゴルフボールがボール通過部１６を通り、スペース部１５に達したら４点から２点を減らす（イーグルに相当）。
【００４１】
また、ホール部１１を目がけてパットしたゴルフボールが左右にずれ、凹部１４に入った場合には、４点に１点を加算する（ボギーに相当）。さらにパットしたボールが左右に大きくずれて凹部１７に入った場合、４点に２点を加算する（ダブルボギーに相当）。
【００４２】
また、下部平坦部２に載置するゴルフボールの位置を、ボール収容部１０から遠い距離にした場合はパー５と設定し、一方、距離を近づけることでパー３と設定することもできる。このようにすることで、実際のゴルフと同じスコアカードを使用してプレーすることもできる。このように練習を実際のゴルフに少しでも近づけることにより、ホール部１１の中心に正確にパットする技術を楽しくゲーム感覚で習得することができる。
【００４３】
即ち、難易度の高い正確なパットをした場合、設定した点数から減点し、一方、打ち出し角度を誤り左右方向にずれた場合、設定した点数に加点することで、パットの正確な技術を楽しく習得することができる。また、初心者においても、難易度に応じたさまざまな設定が施されているため、パットの練習を楽しくゲーム感覚で行うことができる。
【００４４】
さらに、夫々の箇所にスイッチ機構を設けることで、パットしたゴルフボールが入った箇所を、音声や音楽、また光等の聴覚や視覚で知らせることができ、大人はもとより子供でも楽しみながらパットの練習をすることができる。
【符号の説明】
【００４５】
１    パター練習器
２    下部平坦部
３    傾斜部
４    上部平坦部
５    基台
１０  ボール収容部
１１  ホール部
１２  スペース部
１３  ボール通過部
１３ａ傾斜部
１４  凹部
１５  スペース部
１６  ボール通過部
１６ａ傾斜部
１７  凹部
１８  被覆部
ａ    ゴルフボール
【図１】
2015009118.tif 000003
【図２】
2015009118.tif 000004
【図３】
2015009118.tif 000005
【図４】
2015009118.tif 000006
【図５】
2015009118.tif 000007
【図６】
2015009118.tif 000008
【図７】
2015009118.tif 000009
【図８】
2015009118.tif 000010
【図９】
2015009118.tif 000011
【図１０】
2015009118.tif 000012
【図１１】
2015009118.tif 000013
【図１２】
2015009118.tif 000014
【図１３】
2015009118.tif 000015
【図１４】
2015009118.tif 000016